(57)【特許請求の範囲】
【請求項１】
非接地側配線および接地側配線を有する交流電源から供給される交流を整流する整流回路と、該整流回路の整流出力をＤＣ−ＤＣ変換して生成した直流を複数の発光ダイオードが直列接続された発光ダイオードモジュールに供給する直流供給回路とを備える発光ダイオード点灯回路であって、
前記発光ダイオードを駆動する動作電流の供給／遮断を制御する動作電流制御部によって前記発光ダイオードの点灯／消灯を制御する構成としてあり、
前記整流回路は、平滑コンデンサを備え、
前記動作電流制御部によって前記発光ダイオードを消灯したときに交流電源の正の半周期で生じる正周期微弱電流と交流電源の負の半周期で生じる負周期微弱電流とのいずれかが前記平滑コンデンサを介して流れることによって前記正周期微弱電流および前記負周期微弱電流が互いに逆方向へ流れる前記直流供給回路の配線経路に、前記動作電流制御部によって前記発光ダイオードを点灯したときに前記配線経路で流れる動作電流の電流方向に電流を流す構成とされたｐｎ接合素子を備えること
を特徴とする発光ダイオード点灯回路。
【請求項２】
請求項１に記載の発光ダイオード点灯回路であって、
前記動作電流制御部は、前記交流電源と前記発光ダイオード点灯回路との間に配置されたスイッチで構成され、該スイッチのオン／オフによって前記発光ダイオードの点灯／消灯を制御する構成としてあること
を特徴とする発光ダイオード点灯回路。
【請求項３】
請求項１に記載の発光ダイオード点灯回路であって、
前記動作電流制御部は、前記直流供給回路に配置され、オン／オフ制御によってＤＣ−ＤＣ変換を実行するスイッチング素子で構成され、該スイッチング素子によるＤＣ−ＤＣ変換の実行／停止によって前記発光ダイオードの点灯／消灯を制御する構成としてあること
を特徴とする発光ダイオード点灯回路。
【請求項４】
複数の発光ダイオードが直列接続された発光ダイオードモジュールと、非接地側配線および接地側配線を有する交流電源から供給された交流を直流に変換して前記発光ダイオードモジュールに供給する発光ダイオード点灯回路とを備え、前記発光ダイオードを駆動する動作電流の供給／遮断を制御する動作電流制御部によって前記発光ダイオードの点灯／消灯を制御する構成とされた照明装置であって、
前記発光ダイオード点灯回路は、請求項１ないし請求項３のいずれか一つに記載の発光ダイオード点灯回路であること
を特徴とする照明装置。
【発明の詳細な説明】
【技術分野】
【０００１】
本発明は、交流電源から供給される交流を直流に変換して複数の発光ダイオードが直列接続された発光ダイオードモジュールに供給し、発光ダイオードを点灯する発光ダイオード点灯回路およびこのような発光ダイオード点灯回路を備える照明装置に関する。
【背景技術】
【０００２】
発光ダイオード（ＬＥＤ：Ｌｉｇｈｔ  Ｅｍｉｔｔｉｎｇ  Ｄｉｏｄｅ）の開発が進み、白色発光が可能な技術が開発されたことから、発光ダイオードを照明灯の光源として利用することが提案されている。
【０００３】
しかし、１個の発光ダイオードでは、十分な光量が得られないことから、複数の発光ダイオードを実装した発光ダイオードモジュールを搭載した照明灯が提案されている。また、従来の電灯の置き換えを考慮して交流電源による点灯が可能な発光ダイオード点灯回路が提案されている（例えば、特許文献１参照）。
【０００４】
図１２は、従来例としての発光ダイオード点灯回路を適用して発光ダイオードモジュールを点灯する照明装置の概略構成ブロックを示すブロック図であり、（Ａ）はスイッチをオンして発光ダイオードを点灯した場合の電流状況を示し、（Ｂ）はスイッチをオフして発光ダイオードを消灯した場合の電流状況を示している。
【０００５】
従来例に係る照明装置１０１は、交流電源ＡＣＳから供給された交流を直流に変換する発光ダイオード点灯回路１１０と、発光ダイオード点灯回路１１０から供給された直流によって駆動され発光（点灯）する発光ダイオードモジュール１４０とを備え、スイッチ１１５によって、発光ダイオードモジュール１４０（発光ダイオードＬＥＤ１、発光ダイオードＬＥＤ２）の発光（点灯／消灯）を制御する。
【０００６】
なお、発光ダイオードモジュール１４０は、例えば金属製の照明器具本体１０１ｂに取り付けられている。また、照明器具本体１０１ｂは、安全性を確保するために接地される場合がある。
【０００７】
従来例に係る発光ダイオード点灯回路１１０は、非接地側配線１１１および接地側配線１１２を有する交流電源ＡＣＳから供給される交流を整流する整流回路１２０と、整流回路１２０の整流出力をＤＣ−ＤＣ変換して生成した直流を複数の発光ダイオードＬＥＤ（発光ダイオードＬＥＤ１、発光ダイオードＬＥＤ２。以下、発光ダイオードＬＥＤ１、発光ダイオードＬＥＤ２を特に区別する必要が無い場合は、単に発光ダイオードＬＥＤとする。）が直列接続された発光ダイオードモジュール１４０に供給して発光ダイオードＬＥＤを点灯する直流供給回路１３０とを備える。
【０００８】
整流回路１２０は、非接地側配線１１１に接続される電源接続端子１２０ｐと、接地側配線１１２にスイッチ１１５を介して接続される電源接続端子１２０ｇと、交流を例えば全波整流するようにブリッジ接続された整流ダイオード（不図示）と、整流ダイオードによって形成された脈流を平滑化して直流化する平滑コンデンサ（不図示）とを備える。
【０００９】
従来例に係る発光ダイオードモジュール１４０は、例えば発光ダイオードＬＥＤ１および発光ダイオードＬＥＤ２が直列接続してあり、直流電力供給端子となるモジュールプラス端子１４０ｐおよびモジュールマイナス端子１４０ｍに順方向となるように接続してある。つまり、モジュールプラス端子１４０ｐは、発光ダイオードＬＥＤ１のアノードに接続され、モジュールマイナス端子１４０ｍは、発光ダイオードＬＥＤ２のカソードに接続されている。
【００１０】
また、発光ダイオードＬＥＤ１および発光ダイオードＬＥＤ２は、配線パターン（不図示）を介して相互に接続されることから、発光ダイオードモジュール１４０の適宜の所望された位置に配置されることとなる。つまり、発光ダイオードＬＥＤ１および発光ダイオードＬＥＤ２は、配線パターンが形成されたプリント基板（不図示）に実装されている。
【００１１】
プリント基板（発光ダイオードモジュール１４０）は、金属製の照明器具本体１０１ｂに取り付けられている。したがって、配線パターンは、照明器具本体１０１ｂとの間にプリント基板の絶縁性基材を挟む構成となることから、その面積に比例した寄生容量Ｃｆ、寄生容量Ｃｓ、寄生容量Ｃｔを有することとなる。
【００１２】
特に、発光ダイオードＬＥＤ１および発光ダイオードＬＥＤ２の間に配置された配線パターンは、発光ダイオードＬＥＤ１および発光ダイオードＬＥＤ２を適宜の位置に配置するために他のパターンに比較して大きな面積（長い距離）とされることがある。
【００１３】
したがって、寄生容量Ｃｓは、寄生容量Ｃｆ、寄生容量Ｃｔに比較して大きな値となり、後述するようにスイッチ１１５をオフして発光ダイオードＬＥＤを消灯した場合に、寄生容量Ｃｓを介して寄生電流としての微弱電流Ｉｓ（正周期微弱電流Ｉｓｐ、負周期微弱電流Ｉｓｍ。図１２（Ｂ）参照）が流れ、消灯時に微弱発光を生じることがある。なお、正周期微弱電流Ｉｓｐと負周期微弱電流Ｉｓｍとを区別する必要が無い場合は、単に微弱電流Ｉｓとすることがある。
【００１４】
発光ダイオードＬＥＤを点灯する場合（図１２（Ａ））は、スイッチ１１５をオンする。スイッチ１１５をオンした場合、交流電源ＡＣＳの正の半周期では配線経路１３０ｗを介して動作電流Ｉｄが発光ダイオードＬＥＤを流れ、負の半周期では配線経路１３０ｗを介して動作電流Ｉｄが同様に流れる。したがって、発光ダイオードＬＥＤは、交流電源ＡＣＳの正負状態に関係なく、常に直流を供給された状態で安定した点灯状態となる。
【００１５】
つまり、交流電源ＡＣＳの正の半周期では、非接地側端子１１１ｔ→非接地側配線１１１（電源接続端子１２０ｐ）→整流回路１２０→直流供給回路１３０（配線経路１３０ｗ）→出力プラス端子１３４ｔ→モジュールプラス端子１４０ｐ→発光ダイオードＬＥＤ１→発光ダイオードＬＥＤ２→モジュールマイナス端子１４０ｍ→出力マイナス端子１３５ｔ→・・・→整流回路１２０→電源接続端子１２０ｇ→スイッチ１１５→接地側配線１１２→接地側端子１２ｔの経路で動作電流Ｉｄが流れる。
【００１６】
また、交流電源ＡＣＳの負の半周期では、接地側端子１１２ｔ→接地側配線１１２→スイッチ１１５→電源接続端子１２０ｇ→整流回路１２０→直流供給回路１３０（配線経路１３０ｗ）→出力プラス端子１３４ｔ→モジュールプラス端子１４０ｐ→発光ダイオードＬＥＤ１→発光ダイオードＬＥＤ２→モジュールマイナス端子１４０ｍ→出力マイナス端子１３５ｔ→・・・→整流回路１２０→電源接続端子１２０ｐ→非接地側配線１１１→非接地側端子１１１ｔの経路で動作電流Ｉｄが流れる。
【００１７】
発光ダイオードＬＥＤを消灯する場合（図１２（Ｂ））は、スイッチ１１５をオフする。スイッチ１１５をオフした場合、交流電源ＡＣＳの正の半周期では正周期微弱電流Ｉｓｐが寄生容量Ｃｓを充電する形態で発光ダイオードＬＥＤ１に流れ、負の半周期では負周期微弱電流Ｉｓｍが寄生容量Ｃｓを逆方向に充電する形態で発光ダイオードＬＥＤ２に流れる。したがって、発光ダイオードＬＥＤは、交流電源ＡＣＳの正負状態に関係なく、常に微弱電流Ｉｓが流れる状態となり消灯時であっても微弱発光が生じることとなる。
【００１８】
つまり、交流電源ＡＣＳの正の半周期では、非接地側端子１１１ｔ→非接地側配線１１１（電源接続端子１２０ｐ）→整流回路１２０→直流供給回路１３０（配線経路１３０ｗ）→出力プラス端子１３４ｔ→モジュールプラス端子１４０ｐ→発光ダイオードＬＥＤ１→寄生容量Ｃｓ→アース電位ＧＮＤ（照明器具本体１０１ｂのアース電位ＧＮＤおよび交流電源ＡＣＳのアース電位ＧＮＤ）の経路で正周期微弱電流Ｉｓｐが流れる。
【００１９】
また、交流電源ＡＣＳの負の半周期では、接地側端子１１２ｔ→接地側配線１１２→アース電位ＧＮＤ（交流電源ＡＣＳのアース電位ＧＮＤおよび照明器具本体１０１ｂのアース電位ＧＮＤ）→寄生容量Ｃｓ→発光ダイオードＬＥＤ２→モジュールマイナス端子１４０ｍ→出力マイナス端子１３５ｔ→直流供給回路１３０（配線経路１３０ｗ）→整流回路１２０→電源接続端子１２０ｐ（非接地側配線１１１）→非接地側端子１１１ｔの経路で負周期微弱電流Ｉｓｍが流れる。
【００２０】
したがって、配線経路１３０ｗでは、交流電源ＡＣＳの正負それぞれの半周期にそれぞれ対応する両方向で微弱電流Ｉｓ（発光ダイオードＬＥＤ１を流れる正周期微弱電流Ｉｓｐおよび発光ダイオードＬＥＤ２を流れる負周期微弱電流Ｉｓｍ）が流れることとなる。すなわち、交流電源ＡＣＳの正負状態に関係なく、発光ダイオードＬＥＤには常に微弱電流Ｉｓが流れる状態となり消灯したときであっても微弱発光が生じることとなる。
【００２１】
つまり、接地側配線と発光ダイオード点灯回路との間に配置されたスイッチのオン／オフによって発光ダイオードの点灯／消灯を制御する場合に、直流供給回路内部の配線経路を介して微弱電流が流れ、消灯時にも拘らず微弱発光（微弱点灯）が生じることがある。
【００２２】
スイッチは本来、非接地側に入れられることが望ましく、非接地側に入れられた場合、スイッチをオフすると微弱電流が流れる経路は遮断されることから、微弱発光は生じない。しかし非接地側の配線が明確であるとは限らず、スイッチが必ず非接地側に入れられるとは限らない。
【００２３】
なお、照明装置は、壁に設置されたスイッチ（いわゆる壁スイッチ）で点灯／消灯するほか、リモートコントローラで点灯／消灯することもある。
【００２４】
また、照明器具本体１０１ｂを接地しない場合でも器具に人体が接触した場合は、人体を通して微弱電流Ｉｓが流れることがある。
【００２５】
なお、整流回路で整流した直流を異なる直流に変換する直流供給回路としてチョッパー回路を採用したものが提案されている（例えば、特許文献２参照。）。また、特許文献１での直流供給回路は、フライバック方式と呼ばれている。
【特許文献１】特開２００６−１４７２５２号公報
【特許文献２】特開２００５−８０３５３号公報
【発明の開示】
【発明が解決しようとする課題】
【００２６】
本発明はこのような状況に鑑みてなされたものであり、
非接地側配線および接地側配線を有する交流電源から供給される交流を整流する整流回路と、整流回路の整流出力をＤＣ−ＤＣ変換して生成した直流を複数の発光ダイオードが直列接続された発光ダイオードモジュールに供給する直流供給回路とを備える発光ダイオード点灯回路であって、発光ダイオードを駆動する動作電流の供給／遮断を制御する動作電流制御部によって発光ダイオードの点灯／消灯を制御する構成としてあり、動作電流制御部によって発光ダイオードを消灯したときに交流電源の正の半周期で生じる正周期微弱電流と交流電源の負の半周期で生じる負周期微弱電流とが互いに逆方向へ流れる直流供給回路の配線経路に、動作電流制御部によって発光ダイオードを点灯したときに配線経路で流れる動作電流の電流方向に電流を流す構成とされたｐｎ接合素子を備えることにより、動作電流制御部によって発光ダイオードを消灯状態にしたときに微弱発光することなく完全に消灯させることができ、信頼性、機能性、および視認性の高い照明装置を実現できる発光ダイオード点灯回路を提供することを目的とする。
【００２７】
また、本発明は、複数の発光ダイオードが直列接続された発光ダイオードモジュールと、非接地側配線および接地側配線を有する交流電源から供給された交流を直流に変換して発光ダイオードモジュールに供給する発光ダイオード点灯回路とを備え、発光ダイオードを駆動する動作電流の供給／遮断を制御する動作電流制御部によって発光ダイオードの点灯／消灯を制御する構成とされた照明装置であって、発光ダイオード点灯回路を本発明に係る発光ダイオード点灯回路で構成することにより、動作電流制御部によって発光ダイオードを消灯状態にしたときに微弱発光することなく完全に消灯させることができ、信頼性、機能性、および視認性の高い照明装置を提供することを他の目的とする。
【課題を解決するための手段】
【００２８】
本発明に係る発光ダイオード点灯回路は、非接地側配線および接地側配線を有する交流電源から供給される交流を整流する整流回路と、該整流回路の整流出力をＤＣ−ＤＣ変換して生成した直流を複数の発光ダイオードが直列接続された発光ダイオードモジュールに供給する直流供給回路とを備える発光ダイオード点灯回路であって、前記発光ダイオードを駆動する動作電流の供給／遮断を制御する動作電流制御部によって前記発光ダイオードの点灯／消灯を制御する構成としてあり、前記整流回路は、平滑コンデンサを備え、前記動作電流制御部によって前記発光ダイオードを消灯したときに交流電源の正の半周期で生じる正周期微弱電流と交流電源の負の半周期で生じる負周期微弱電流とのいずれかが前記平滑コンデンサを介して流れることによって前記正周期微弱電流および前記負周期微弱電流が互いに逆方向へ流れる前記直流供給回路の配線経路に、前記動作電流制御部によって前記発光ダイオードを点灯したときに前記配線経路で流れる動作電流の電流方向に電流を流す構成とされたｐｎ接合素子を備えることを特徴とする。
【００２９】
この構成により、動作電流制御部によって発光ダイオードを消灯状態にしたときに、発光ダイオードモジュールの配線パターンに伴う寄生容量を介して発光ダイオードを流れる微弱電流（交流電源の正の半周期で生じる正周期微弱電流、負の半周期で生じる負周期微弱電流）によって発光ダイオードが微弱発光をすることなく完全に消灯させることができ、信頼性、機能性、および視認性の高い照明装置を実現できる発光ダイオード点灯回路とすることが可能となる。
【００３０】
また、本発明に係る発光ダイオード点灯回路では、前記動作電流制御部は、前記交流電源と前記発光ダイオード点灯回路との間に配置されたスイッチで構成され、該スイッチのオン／オフによって前記発光ダイオードの点灯／消灯を制御する構成としてあることを特徴とする。
【００３１】
この構成により、動作電流制御部としてのスイッチを接地側配線と発光ダイオード点灯回路の間に入れた場合でも、スイッチをオフして発光ダイオードを消灯状態にしたときに発光ダイオードが微弱発光することなく完全に消灯させることができる。
【００３２】
また、本発明に係る発光ダイオード点灯回路では、前記動作電流制御部は、前記直流供給回路に配置され、オン／オフ制御によってＤＣ−ＤＣ変換を実行するスイッチング素子で構成され、該スイッチング素子によるＤＣ−ＤＣ変換の実行／停止によって前記発光ダイオードの点灯／消灯を制御する構成としてあることを特徴とする。
【００３３】
この構成により、動作電流制御部としてのスイッチング素子によるＤＣ−ＤＣ変換を停止して発光ダイオードを消灯状態にしたときに発光ダイオードが微弱発光することなく完全に消灯させることができる。
【００３４】
また、本発明に係る照明装置は、複数の発光ダイオードが直列接続された発光ダイオードモジュールと、非接地側配線および接地側配線を有する交流電源から供給された交流を直流に変換して前記発光ダイオードモジュールに供給する発光ダイオード点灯回路とを備え、前記発光ダイオードを駆動する動作電流の供給／遮断を制御する動作電流制御部によって前記発光ダイオードの点灯／消灯を制御する構成とされた照明装置であって、前記発光ダイオード点灯回路は、本発明に係る発光ダイオード点灯回路であることを特徴とする。
【００３５】
この構成により、動作電流制御部によって発光ダイオードを消灯状態にしたときに、発光ダイオードを流れる微弱電流（交流電源の正の半周期で生じる正周期微弱電流、負の半周期で生じる負周期微弱電流）によって発光ダイオードが微弱発光することなく完全に消灯させることができ、信頼性、機能性、および視認性の高い照明装置を実現することが可能となる。
【発明の効果】
【００３６】
本発明に係る発光ダイオード点灯回路によれば、非接地側配線および接地側配線を有する交流電源から供給される交流を整流する整流回路と、整流回路の整流出力をＤＣ−ＤＣ変換して生成した直流を複数の発光ダイオードが直列接続された発光ダイオードモジュールに供給する直流供給回路とを備える発光ダイオード点灯回路であって、発光ダイオードを駆動する動作電流の供給／遮断を制御する動作電流制御部によって発光ダイオードの点灯／消灯を制御する構成としてあり、整流回路は、平滑コンデンサを備え、動作電流制御部によって発光ダイオードを消灯したときに交流電源の正の半周期で生じる正周期微弱電流と交流電源の負の半周期で生じる負周期微弱電流ととのいずれかが平滑コンデンサを介して流れることによって正周期微弱電流および負周期微弱電流が互いに逆方向へ流れる直流供給回路の配線経路に、動作電流制御部によって発光ダイオードを点灯したときに配線経路で流れる動作電流の電流方向に電流を流す構成とされたｐｎ接合素子を備えることから、動作電流制御部によって発光ダイオードを消灯状態にしたときに、発光ダイオードモジュールの配線パターンに伴う寄生容量を介して発光ダイオードを流れる微弱電流（交流電源の正の半周期で生じる正周期微弱電流、負の半周期で生じる負周期微弱電流）によって発光ダイオードが微弱発光をすることなく完全に消灯させることができ、信頼性、機能性、および視認性の高い照明装置を実現できる発光ダイオード点灯回路とすることが可能となるという効果を奏する。
【００３７】
また、本発明に係る照明装置によれば、複数の発光ダイオードが直列接続された発光ダイオードモジュールと、非接地側配線および接地側配線を有する交流電源から供給された交流を直流に変換して発光ダイオードモジュールに供給する発光ダイオード点灯回路とを備え、発光ダイオードを駆動する動作電流の供給／遮断を制御する動作電流制御部によって発光ダイオードの点灯／消灯を制御する構成とされた照明装置であって、発光ダイオード点灯回路は、本発明に係る発光ダイオード点灯回路とすることから、動作電流制御部によって発光ダイオードを消灯状態にしたときに発光ダイオードを流れる微弱電流（交流電源の正の半周期で生じる正周期微弱電流、負の半周期で生じる負周期微弱電流）によって発光ダイオードが微弱発光をすることなく完全に消灯させることができ、信頼性、機能性、および視認性の高い照明装置を実現することが可能となるという効果を奏する。
【発明を実施するための最良の形態】
【００３８】
以下、本発明の実施の形態を図面に基づいて説明する。
【００３９】
＜実施の形態１＞
図１ないし図６に基づいて、本実施の形態に係る発光ダイオード点灯回路および照明装置について説明する。なお、図１、図２は実施例１に、図３は実施例２に、図４は実施例３に、図５は実施例４に、図６は実施例５に係る。
【００４０】
図１は、本発明の実施の形態１に係る発光ダイオード点灯回路および照明装置の概略構成回路の実施例１を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【００４１】
なお、図１（Ａ）、（Ｂ）、（Ｃ）は、基本的に同等な回路構成であることから図上の符号を適宜省略してある。図３以下でも同様である。
【００４２】
図２は、本発明の実施の形態に係る発光ダイオード点灯回路および照明装置に適用される発光ダイオードモジュールの概略構成を示す説明図であり、（Ａ）は平面図、（Ｂ）は（Ａ）の矢符Ｂ−Ｂでの端面図である。なお、端面図でのハッチングは図面の見易さを考慮して省略してある。
【００４３】
本実施の形態に係る照明装置１は、交流電源ＡＣＳから供給された交流を直流に変換する発光ダイオード点灯回路１０と、発光ダイオード点灯回路１０から供給された直流によって駆動され発光（点灯）する発光ダイオードモジュール４０とを備え、動作電流制御部としてのスイッチ１５によって、発光ダイオードモジュール４０（発光ダイオードＬＥＤ１、発光ダイオードＬＥＤ２）の発光（点灯／消灯）を制御する。
【００４４】
なお、発光ダイオードモジュール４０は、例えば金属製の照明器具本体１ｂに取り付けられている。また、照明器具本体１ｂは、安全性を確保するためにアース電位ＧＮＤに接地された状態となっている。
【００４５】
また、照明装置１はスイッチ１５で点灯／消灯するほか、リモートコントローラでスイッチング素子Ｑ（スイッチングトランジスタＱ）をオフすることにより消灯することも可能である（実施の形態３参照）。
【００４６】
本実施例に係る発光ダイオード点灯回路１０は、非接地側配線１１および接地側配線１２を有する交流電源ＡＣＳから供給される交流を整流する整流回路２０と、整流回路２０の整流出力をＤＣ−ＤＣ変換して生成した直流を複数の発光ダイオードＬＥＤ（発光ダイオードＬＥＤ１、発光ダイオードＬＥＤ２。以下、発光ダイオードＬＥＤ１、発光ダイオードＬＥＤ２を特に区別する必要が無い場合は、単に発光ダイオードＬＥＤとする。）が直列接続された発光ダイオードモジュール４０に供給して発光ダイオードＬＥＤを点灯する直流供給回路３０とを備える。
【００４７】
本実施例に係る整流回路２０は、非接地側配線１１に接続される電源接続端子２０ｐと、接地側配線１２にスイッチ１５を介して接続される電源接続端子２０ｇと、交流を全波整流するようにブリッジ接続された整流ダイオード２１、２２、２３、２４と、整流ダイオード２１、２２、２３、２４によって形成された脈流を平滑化して直流化する平滑コンデンサＣｒとを備える。
【００４８】
ブリッジ接続された整流ダイオード２１、２２、２３、２４で構成されるブリッジの一方のブリッジで直列接続された整流ダイオード２１および整流ダイオード２２の中間位置に非接地側配線１１（電源接続端子２０ｐ）が接続され、他方のブリッジで直列接続された整流ダイオード２３および整流ダイオード２４の中間位置に接地側配線１２（電源接続端子２０ｇ）が接続されている。
【００４９】
したがって、カソードを共通に接続された整流ダイオード２２および整流ダイオード２３のカソード接続点からプラス側の配線経路３４が導出され、アノードを共通に接続された整流ダイオード２１および整流ダイオード２４のアノード接続点からマイナス側の配線経路３５が導出され、直流供給回路３０に接続されている。なお、平滑コンデンサＣｒは、プラス側の配線経路３４およびマイナス側の配線経路３５に対応させて接続してある。
【００５０】
本実施例に係る直流供給回路３０は、「ローサイドスイッチ型降圧チョッパー方式」とした場合であり、転流用のダイオードＤおよびスイッチング素子Ｑの直列回路がプラス側の配線経路３４とマイナス側の配線経路３５との間に接続してある。また、ダイオードＤおよびスイッチング素子Ｑの接続点にコイルＬの一方の端子が接続してある。なお、ダイオードＤのカソードはプラス側の配線経路３４に接続され、ダイオードＤのアノードとマイナス側の配線経路３５の間にスイッチング素子Ｑが接続され、ダイオードＤおよびスイッチング素子Ｑの接続点にコイルＬの一方の端子が接続してある。
【００５１】
プラス側の配線経路３４は、直流供給回路３０の一方の出力端子となる出力プラス端子３４ｔに接続され、マイナス側の配線経路３５は、スイッチング素子ＱおよびコイルＬを介して直流供給回路３０の他方の出力端子となる出力マイナス端子３５ｔに接続されている。
【００５２】
なお、「ローサイドスイッチ型降圧チョッパー方式」では、コイルＬを電源側（プラス側の配線経路３４）に配置することも可能であるが、基本動作は同様であるので説明は省略する。
【００５３】
プラス側の配線経路３４には、ｐｎ接合素子としてのバイポーラトランジスタ３１が直列で順方向（動作電流Ｉｄの電流方向に電流を流す配置）に接続してあり、平滑コンデンサＣｒが充電され所定の直流波形が直流供給回路３０に供給されるとバイポーラトランジスタ３１は、オン動作し、整流回路２０から直流供給回路３０を介して発光ダイオードモジュール４０に直流電力が供給されることとなる。なお、バイアス抵抗Ｒはバイポーラトランジスタ３１をオン動作させるためのバイアス電流（ベース電流）を供給する。
【００５４】
本実施例に係る発光ダイオードモジュール４０は、例えば発光ダイオードＬＥＤ１および発光ダイオードＬＥＤ２が直列接続してあり、直流電力供給端子となるモジュールプラス端子４０ｐおよびモジュールマイナス端子４０ｍに順方向となるように接続してある。モジュールプラス端子４０ｐは、発光ダイオードＬＥＤ１のアノードが接続された配線パターン４３ｆに接続され、モジュールマイナス端子４０ｍは、発光ダイオードＬＥＤ２のカソードが接続された配線パターン４３ｔに接続されている。
【００５５】
また、発光ダイオードＬＥＤ１および発光ダイオードＬＥＤ２は、配線パターン４３ｓを介して相互に接続されることから、発光ダイオードモジュール４０の適宜の所望された位置に配置されることとなる。
【００５６】
発光ダイオードモジュール４０は、絶縁性基材４２に積層した導体層を適宜パターニングすることによって形成された配線パターン４３ｆ、４３ｓ、４３ｔを備えるプリント基板４１と、配線パターン４３ｆ、４３ｓ、４３ｔに接続された発光ダイオードＬＥＤ１、発光ダイオードＬＥＤ２を備える（図２）。配線パターン４３ｆおよび配線パターン４３ｓに発光ダイオードＬＥＤ１が接続され、配線パターン４３ｓおよび配線パターン４３ｔに発光ダイオードＬＥＤ２が接続されている。
【００５７】
配線パターン４３ｆ、配線パターン４３ｓ、配線パターン４３ｔは、照明器具本体１ｂとの間に絶縁性基材４２をそれぞれ挟む構成となることから、その面積に比例した寄生容量Ｃｆ、寄生容量Ｃｓ、寄生容量Ｃｔを有することとなる。特に、発光ダイオードＬＥＤ１および発光ダイオードＬＥＤ２の間に配置された配線パターン４３ｓは、発光ダイオードＬＥＤ１および発光ダイオードＬＥＤ２を適宜の位置に配置するために他のパターンに比較して大きな面積（長い距離）とされることがある。
【００５８】
したがって、配線パターン４３ｓによって生じる寄生容量Ｃｓは、寄生容量Ｃｆ、寄生容量Ｃｔに比較して大きな値となり、図１（Ｃ）で説明するようにバイポーラトランジスタ３１が存在しない場合にスイッチ１５をオフして発光ダイオードＬＥＤを消灯したとき、寄生容量Ｃｓを介して寄生電流としての微弱電流Ｉｓ（正周期微弱電流Ｉｓｐ、負周期微弱電流Ｉｓｍ）が流れ、消灯時に微弱発光を生じることがある。なお、正周期微弱電流Ｉｓｐと負周期微弱電流Ｉｓｍとを区別する必要が無い場合は、単に微弱電流Ｉｓとすることがある。
【００５９】
なお、寄生容量Ｃｓは、真空の誘電率をε（０）、絶縁性基材４２の比誘電率をε（ｒ）、配線パターン４３ｓの面積をＳ、厚さをｄとした場合、寄生容量Ｃ＝ε（０）・ε（ｒ）・Ｓ／ｄで算出される。
【００６０】
発光ダイオードＬＥＤを点灯する場合（図１（Ａ））は、スイッチ１５（動作電流制御部）をオンする。スイッチ１５をオンした場合、交流電源ＡＣＳの正の半周期では動作電流Ｉｄが発光ダイオードＬＥＤを流れ、負の半周期では動作電流Ｉｄが同様に同方向で流れる。したがって、発光ダイオードＬＥＤは、交流電源ＡＣＳの正負状態に関係なく、常に直流を供給された状態で安定した点灯状態となる。
【００６１】
つまり、交流電源ＡＣＳの正の半周期では、非接地側端子１１ｔ→非接地側配線１１（電源接続端子２０ｐ）→整流ダイオード２２→バイポーラトランジスタ３１（プラス側の配線経路３４）→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→コイルＬ→スイッチング素子Ｑ→マイナス側の配線経路３５→整流ダイオード２４→電源接続端子２０ｇ→スイッチ１５→接地側配線１２→接地側端子１２ｔの経路で動作電流Ｉｄが流れる。
【００６２】
また、交流電源ＡＣＳの負の半周期では、接地側端子１２ｔ→接地側配線１２→スイッチ１５→電源接続端子２０ｇ→整流ダイオード２３→バイポーラトランジスタ３１（プラス側の配線経路３４）→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→コイルＬ→スイッチング素子Ｑ→マイナス側の配線経路３５→整流ダイオード２１→電源接続端子２０ｐ→非接地側配線１１→非接地側端子１１ｔの経路で動作電流Ｉｄが流れる。
【００６３】
なお、交流電源ＡＣＳの正負は、非接地側端子１１ｔの電位と接地側端子１２ｔの電位との相対関係で規定する。つまり、接地側端子１２ｔの電位に対して非接地側端子１１ｔの電位が正の場合を正の半周期とし、非接地側端子１１ｔの電位に対して接地側端子１２ｔの電位が正の場合を負の半周期とする。つまり、アース電位ＧＮＤに対して非接地側端子１１ｔが正電位となる場合を正の半周期とし、アース電位ＧＮＤに対して非接地側端子１１ｔが負電位となる場合を負の半周期とする。
【００６４】
また、バイポーラトランジスタ３１は、ｎｐｎトランジスタで構成され、コレクタ端子を整流ダイオード２２（平滑コンデンサＣｒ）側へ、エミッタ端子を出力プラス端子３４ｔ（ダイオードＤ）側へ配置し、コレクタ端子からエミッタ端子へ動作電流Ｉｄが流れるように配置してある。
【００６５】
発光ダイオードＬＥＤを消灯する場合（図１（Ｂ））は、スイッチ１５（動作電流制御部）をオフする。スイッチ１５をオフした場合、バイポーラトランジスタ３１はオフ状態となる。つまり、交流電源ＡＣＳの正の半周期での正周期微弱電流Ｉｓｐ（図１（Ｃ）参照）、交流電源ＡＣＳの負の半周期での負周期微弱電流Ｉｓｍ（図１（Ｃ）参照）が流れることはない。
【００６６】
したがって、ｐｎ接合素子としてのバイポーラトランジスタ３１をプラス側の配線経路３４に配置することによって、寄生電流としての微弱電流Ｉｓが流れることを防止することが可能となり、微弱電流Ｉｓによる発光ダイオードＬＥＤの微弱発光を防止することが可能となるので、発光ダイオードＬＥＤを完全な消灯状態とすることが可能となる。
【００６７】
次に本実施の形態での効果を比較説明するためにｐｎ接合素子（バイポーラトランジスタ３１）を省いた状態でスイッチをオフして発光ダイオードを消灯した場合の電流状況を説明する（図１（Ｃ））。なお、図１（Ｃ）の回路状態図では、バイポーラトランジスタ３１およびバイアス抵抗Ｒを省いた点が図１（Ａ）、（Ｂ）の回路状態図と異なるのみであるので、同一の符号を用いて説明する。
【００６８】
図１（Ｂ）の場合と同様、発光ダイオードＬＥＤを消灯する場合は、スイッチ１５をオフする。スイッチ１５をオフした場合、交流電源ＡＣＳの正の半周期では正周期微弱電流Ｉｓｐが寄生容量Ｃｓを充電する形態で発光ダイオードＬＥＤ１に流れ、負の半周期では負周期微弱電流Ｉｓｍが寄生容量Ｃｓを逆方向に充電する形態で発光ダイオードＬＥＤ２に流れる。したがって、発光ダイオードＬＥＤは、交流電源ＡＣＳの正負状態に関係なく、常に微弱電流Ｉｓが流れる状態となり微弱発光を防止することはできない。
【００６９】
つまり、交流電源ＡＣＳの正の半周期では、非接地側端子１１ｔ→非接地側配線１１（電源接続端子２０ｐ）→整流ダイオード２２→プラス側の配線経路３４→出力プラス端子３４ｔ→モジュールプラス端子４０ｐ→発光ダイオードＬＥＤ１→寄生容量Ｃｓ→アース電位ＧＮＤ（照明器具本体１ｂのアース電位ＧＮＤおよび交流電源ＡＣＳのアース電位ＧＮＤ）の経路で正周期微弱電流Ｉｓｐが流れる。
【００７０】
また、交流電源ＡＣＳの負の半周期では、接地側端子１２ｔ→接地側配線１２→アース電位ＧＮＤ（交流電源ＡＣＳのアース電位ＧＮＤおよび照明器具本体１ｂのアース電位ＧＮＤ）→寄生容量Ｃｓ→発光ダイオードＬＥＤ２→モジュールマイナス端子４０ｍ→出力マイナス端子３５ｔ→コイルＬ→ダイオードＤ→プラス側の配線経路３４（電流を阻止するバイポーラトランジスタ３１が存在しないことから、動作電流Ｉｄと逆方向の負周期微弱電流Ｉｓｍが流れることが可能となる。）→平滑コンデンサＣｒ→整流ダイオード２１→電源接続端子２０ｐ（非接地側配線１１）→非接地側端子１１ｔの経路で負周期微弱電流Ｉｓｍが流れる。
【００７１】
したがって、バイポーラトランジスタ３１が存在しないプラス側の配線経路３４では、交流電源ＡＣＳの正負の半周期にそれぞれ対応する両方向で微弱電流Ｉｓ（発光ダイオードＬＥＤ１を流れる正周期微弱電流Ｉｓｐおよび発光ダイオードＬＥＤ２を流れる負周期微弱電流Ｉｓｍ）が流れることとなる。すなわち、上述したとおり、バイポーラトランジスタ３１が存在しない場合、交流電源ＡＣＳの正負状態に関係なく、発光ダイオードＬＥＤには常に微弱電流Ｉｓが流れる状態となり微弱発光を防止することはできない状態となる。
【００７２】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、スイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（本実施例ではプラス側の配線経路３４）に、スイッチ１５をオンして発光ダイオードＬＥＤを点灯したときに配線経路（本実施例ではプラス側の配線経路３４）で流れる動作電流Ｉｄの電流方向に電流を流す構成とされたｐｎ接合素子（本実施例ではバイポーラトランジスタ３１）を備える。
【００７３】
この構成により、発光ダイオードモジュール４０の配線パターン４３ｓに伴う寄生容量Ｃｓを介して発光ダイオードＬＥＤを流れる消灯時の微弱電流Ｉｓ（交流電源ＡＣＳの正の半周期で生じる正周期微弱電流Ｉｓｐ、負の半周期で生じる負周期微弱電流Ｉｓｍ）の発生を防止することが可能となるので、スイッチ１５をオフして発光ダイオードＬＥＤを消灯したときに発光ダイオードＬＥＤでの消灯時の微弱発光を防止することができ、信頼性、機能性、および視認性の高い照明装置を実現できる発光ダイオード点灯回路１０とすることが可能となる。
【００７４】
上述したとおり、本実施例では、ｐｎ接合素子は、バイポーラトランジスタ３１であることを特徴とする。したがって、本発明を適用しないときに双方向の微弱電流Ｉｓ（交流電源ＡＣＳの正の半周期で生じる正周期微弱電流Ｉｓｐ、負の半周期で生じる負周期微弱電流Ｉｓｍ）が流れる配線経路３４を遮断し、消灯時に寄生容量Ｃｓに流れる微弱電流Ｉｓを確実に遮断して微弱発光を確実に防止することが可能となる。
【００７５】
なお、本実施の形態では、スイッチ１５は、発光ダイオードＬＥＤを駆動する動作電流Ｉｄの供給／遮断を制御する動作電流制御部として機能し、動作電流制御部（スイッチ１５）によって発光ダイオードＬＥＤの点灯／消灯を制御する構成としてある。
【００７６】
図３は、本発明の実施の形態１に係る発光ダイオード点灯回路および照明装置の概略構成回路の実施例２を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【００７７】
なお、本実施例での照明装置１、発光ダイオード点灯回路１０の基本構成は、実施例１の場合と同様であるので主に異なる事項について説明する。また、整流回路２０は、実施例１の場合と同様としてあるので適宜説明を省略する。発光ダイオードモジュール４０は、実施例１（図２）の場合と同様であるので適宜説明を省略する。
【００７８】
本実施例に係る直流供給回路３０は、「ハイサイドスイッチ型降圧チョッパー方式」とした場合であり、スイッチング素子ＱおよびダイオードＤの直列回路がプラス側の配線経路３４とマイナス側の配線経路３５との間に接続してある。また、スイッチング素子ＱおよびダイオードＤの接続点にコイルＬの一方の端子が接続してある。なお、ダイオードＤのカソードはスイッチング素子Ｑ、コイルＬに接続され、ダイオードＤのアノードはマイナス側の配線経路３５に接続してある。コイルＬの他方の端子は出力プラス端子３４ｔに接続してある。
【００７９】
プラス側の配線経路３４は、スイッチング素子ＱおよびコイルＬを介して出力プラス端子３４ｔに接続され、マイナス側の配線経路３５は、ダイオードＤのアノードおよび出力マイナス端子３５ｔに接続されている。
【００８０】
なお、「ハイサイドスイッチ型降圧チョッパー方式」では、コイルＬをグランド側（マイナス側の配線経路３５）に配置することも可能であるが、基本動作は同様であるので説明は省略する。
【００８１】
マイナス側の配線経路３５には、ｐｎ接合素子としてのバイポーラトランジスタ３１が直列で順方向（動作電流Ｉｄの電流方向に電流を流す配置）に接続してあり、平滑コンデンサＣｒが充電され所定の直流波形が直流供給回路３０に供給されるとバイポーラトランジスタ３１は、オン動作し、整流回路２０から直流供給回路３０を介して発光ダイオードモジュール４０に直流電力が供給されることとなる。
【００８２】
発光ダイオードＬＥＤを点灯する場合（図３（Ａ））は、スイッチ１５をオンする。スイッチ１５をオンした場合、交流電源ＡＣＳの正の半周期では動作電流Ｉｄが発光ダイオードＬＥＤを流れ、負の半周期では動作電流Ｉｄが同様に同方向で流れる。したがって、発光ダイオードＬＥＤは、交流電源ＡＣＳの正負状態に関係なく、常に直流を供給された状態で安定した点灯状態となる。
【００８３】
つまり、交流電源ＡＣＳの正の半周期では、非接地側端子１１ｔ→非接地側配線１１（電源接続端子２０ｐ）→整流ダイオード２２→プラス側の配線経路３４→スイッチング素子Ｑ→コイルＬ→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→バイポーラトランジスタ３１（マイナス側の配線経路３５）→マイナス側の配線経路３５→整流ダイオード２４→電源接続端子２０ｇ→スイッチ１５→接地側配線１２→接地側端子１２ｔの経路で動作電流Ｉｄが流れる。
【００８４】
また、交流電源ＡＣＳの負の半周期では、接地側端子１２ｔ→接地側配線１２→スイッチ１５→電源接続端子２０ｇ→整流ダイオード２３→プラス側の配線経路３４→スイッチング素子Ｑ→コイルＬ→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→バイポーラトランジスタ３１（マイナス側の配線経路３５）→マイナス側の配線経路３５→整流ダイオード２１→電源接続端子２０ｐ→非接地側配線１１→非接地側端子１１ｔの経路で動作電流Ｉｄが流れる。
【００８５】
発光ダイオードＬＥＤを消灯する場合（図３（Ｂ））は、スイッチ１５をオフする。スイッチ１５をオフした場合、バイポーラトランジスタ３１はオフ状態となる。つまり、交流電源ＡＣＳの正の半周期での正周期微弱電流Ｉｓｐ（図３（Ｃ）参照）、交流電源ＡＣＳの負の半周期での負周期微弱電流Ｉｓｍ（図３（Ｃ）参照）が流れることはない。
【００８６】
したがって、ｐｎ接合素子としてのバイポーラトランジスタ３１をマイナス側の配線経路３５に配置することによって、寄生電流としての微弱電流Ｉｓが流れることを防止することが可能となり、微弱電流Ｉｓによる発光ダイオードＬＥＤの微弱発光を防止することが可能となるので、発光ダイオードＬＥＤを完全な消灯状態とすることが可能となる。
【００８７】
次に本実施の形態での効果を比較説明するためにｐｎ接合素子（バイポーラトランジスタ３１）を省いた状態でスイッチをオフして発光ダイオードを消灯した場合の電流状況を説明する（図３（Ｃ））。なお、図３（Ｃ）の回路状態図では、バイポーラトランジスタ３１およびバイアス抵抗Ｒを省いた点が図３（Ａ）、（Ｂ）の回路状態図と異なるのみであるので、同一の符号を用いて説明する。
【００８８】
図３（Ｂ）の場合と同様、発光ダイオードＬＥＤを消灯する場合は、スイッチ１５をオフする。スイッチ１５をオフした場合、交流電源ＡＣＳの正の半周期では正周期微弱電流Ｉｓｐが寄生容量Ｃｓを充電する形態で発光ダイオードＬＥＤ１に流れ、負の半周期では負周期微弱電流Ｉｓｍが寄生容量Ｃｓを逆方向に充電する形態で発光ダイオードＬＥＤ２に流れる。したがって、発光ダイオードＬＥＤは、交流電源ＡＣＳの正負状態に関係なく、常に微弱電流Ｉｓが流れる状態となり微弱発光を防止することはできない。
【００８９】
つまり、交流電源ＡＣＳの正の半周期では、非接地側端子１１ｔ→非接地側配線１１（電源接続端子２０ｐ）→整流ダイオード２２→プラス側の配線経路３４→平滑コンデンサＣｒ→マイナス側の配線経路３５（電流を阻止するバイポーラトランジスタ３１が存在しないことから、動作電流Ｉｄと逆方向の正周期微弱電流Ｉｓｐが流れることが可能となる。）→ダイオードＤ→コイルＬ→出力プラス端子３４ｔ→モジュールプラス端子４０ｐ→発光ダイオードＬＥＤ１→寄生容量Ｃｓ→アース電位ＧＮＤ（照明器具本体１ｂのアース電位ＧＮＤおよび交流電源ＡＣＳのアース電位ＧＮＤ）の経路で正周期微弱電流Ｉｓｐが流れる。
【００９０】
また、交流電源ＡＣＳの負の半周期では、接地側端子１２ｔ→接地側配線１２→アース電位ＧＮＤ（交流電源ＡＣＳのアース電位ＧＮＤおよび照明器具本体１ｂのアース電位ＧＮＤ）→寄生容量Ｃｓ→発光ダイオードＬＥＤ２→モジュールマイナス端子４０ｍ→出力マイナス端子３５ｔ→マイナス側の配線経路３５→整流ダイオード２１→電源接続端子２０ｐ（非接地側配線１１）→非接地側端子１１ｔの経路で負周期微弱電流Ｉｓｍが流れる。
【００９１】
したがって、バイポーラトランジスタ３１が存在しないマイナス側の配線経路３５では、交流電源ＡＣＳの正負の半周期にそれぞれ対応する両方向で微弱電流Ｉｓ（発光ダイオードＬＥＤ１を流れる正周期微弱電流Ｉｓｐおよび発光ダイオードＬＥＤ２を流れる負周期微弱電流Ｉｓｍ）が流れることとなる。すなわち、上述したとおり、バイポーラトランジスタ３１が存在しない場合、交流電源ＡＣＳの正負状態に関係なく、発光ダイオードＬＥＤには常に微弱電流Ｉｓが流れる状態となり微弱発光を防止することはできない状態となる。
【００９２】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、スイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（本実施例ではマイナス側の配線経路３５）に、スイッチ１５をオンして発光ダイオードＬＥＤを点灯したときに配線経路（本実施例ではマイナス側の配線経路３５）で流れる動作電流Ｉｄの電流方向に電流を流す構成とされたｐｎ接合素子（本実施例ではバイポーラトランジスタ３１）を備える。
【００９３】
この構成により、実施例１の場合と同様の作用効果を得ることが可能となる。また、本実施例では、ｐｎ接合素子は、バイポーラトランジスタ３１であることを特徴とする。したがって、本発明を適用しないときに双方向の微弱電流Ｉｓ（交流電源ＡＣＳの正の半周期で生じる正周期微弱電流Ｉｓｐ、負の半周期で生じる負周期微弱電流Ｉｓｍ）が流れる配線経路３５を遮断し、消灯時に寄生容量Ｃｓに流れる微弱電流Ｉｓを確実に遮断して微弱発光を確実に防止することが可能となる。
【００９４】
また、照明装置１についても、実施例１の場合と同様の構成としてあり、同様の作用効果を得ることが可能となる。
【００９５】
図４は、本発明の実施の形態１に係る発光ダイオード点灯回路および照明装置の概略構成回路の実施例３を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【００９６】
なお、本実施例での照明装置１、発光ダイオード点灯回路１０の基本構成は、実施例１の場合と同様であるので主に異なる事項について説明する。また、整流回路２０は、実施例１の場合と同様であるので適宜説明を省略する。発光ダイオードモジュール４０は実施例１（図２）の場合と同様であるので適宜説明を省略する。
【００９７】
本実施例に係る直流供給回路３０は、「ハーフブリッジ（同期整流）型降圧チョッパー方式」とした場合であり、スイッチング素子Ｑ１、Ｑ２（スイッチングトランジスタＱ１、Ｑ２）の直列回路がプラス側の配線経路３４とマイナス側の配線経路３５との間に接続してある。また、スイッチング素子Ｑ１およびスイッチング素子Ｑ２の接続点にコイルＬの一方の端子が接続してある。コイルＬの他方の端子は出力プラス端子３４ｔに接続してある。
【００９８】
プラス側の配線経路３４は、スイッチング素子Ｑ１およびコイルＬを介して出力プラス端子３４ｔに接続され、マイナス側の配線経路３５は、スイッチング素子Ｑ２および出力マイナス端子３５ｔに接続されている。
【００９９】
なお、「ハーフブリッジ（同期整流）型降圧チョッパー方式」では、コイルＬをグランド側（マイナス側の配線経路３５）に配置することも可能であるが、基本動作は同様であるので説明は省略する。
【０１００】
マイナス側の配線経路３５には、ｐｎ接合素子としてのバイポーラトランジスタ３１が直列で順方向（動作電流Ｉｄの電流方向に電流を流す配置）に接続してあり、平滑コンデンサＣｒが充電され所定の直流波形が直流供給回路３０に供給されるとバイポーラトランジスタ３１は、オン動作し、整流回路２０から直流供給回路３０を介して発光ダイオードモジュール４０に直流電力が供給されることとなる。
【０１０１】
発光ダイオードＬＥＤを点灯する場合（図４（Ａ））は、スイッチ１５をオンする。スイッチ１５をオンした場合、交流電源ＡＣＳの正の半周期では動作電流Ｉｄが発光ダイオードＬＥＤを流れ、負の半周期では動作電流Ｉｄが同様に同方向で流れる。したがって、発光ダイオードＬＥＤは、交流電源ＡＣＳの正負状態に関係なく、常に直流を供給された状態で安定した点灯状態となる。
【０１０２】
つまり、交流電源ＡＣＳの正の半周期では、非接地側端子１１ｔ→非接地側配線１１（電源接続端子２０ｐ）→整流ダイオード２２→プラス側の配線経路３４→スイッチング素子Ｑ１→コイルＬ→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→バイポーラトランジスタ３１（マイナス側の配線経路３５）→マイナス側の配線経路３５→整流ダイオード２４→電源接続端子２０ｇ→スイッチ１５→接地側配線１２→接地側端子１２ｔの経路で動作電流Ｉｄが流れる。
【０１０３】
また、交流電源ＡＣＳの負の半周期では、接地側端子１２ｔ→接地側配線１２→スイッチ１５→電源接続端子２０ｇ→整流ダイオード２３→プラス側の配線経路３４→スイッチング素子Ｑ１→コイルＬ→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→バイポーラトランジスタ３１（マイナス側の配線経路３５）→マイナス側の配線経路３５→整流ダイオード２１→電源接続端子２０ｐ→非接地側配線１１→非接地側端子１１ｔの経路で動作電流Ｉｄが流れる。
【０１０４】
発光ダイオードＬＥＤを消灯する場合（図４（Ｂ））は、スイッチ１５をオフする。スイッチ１５をオフした場合、バイポーラトランジスタ３１はオフ状態となる。つまり、交流電源ＡＣＳの正の半周期での正周期微弱電流Ｉｓｐ（図４（Ｃ）参照）、交流電源ＡＣＳの負の半周期での負周期微弱電流Ｉｓｍ（図４（Ｃ）参照）が流れることはない。
【０１０５】
したがって、ｐｎ接合素子としてのバイポーラトランジスタ３１をマイナス側の配線経路３５に配置することによって、寄生電流としての微弱電流Ｉｓが流れることを防止することが可能となり、微弱電流Ｉｓによる発光ダイオードＬＥＤの微弱発光を防止することが可能となるので、発光ダイオードＬＥＤを完全な消灯状態とすることが可能となる。
【０１０６】
次に本実施の形態での効果を比較説明するためにｐｎ接合素子（バイポーラトランジスタ３１）を省いた状態でスイッチをオフして発光ダイオードを消灯した場合の電流状況を説明する（図４（Ｃ））。なお、図４（Ｃ）の回路状態図では、バイポーラトランジスタ３１およびバイアス抵抗Ｒを省いた点が図４（Ａ）、（Ｂ）の回路状態図と異なるのみであるので、同一の符号を用いて説明する。
【０１０７】
図４（Ｂ）の場合と同様、発光ダイオードＬＥＤを消灯する場合は、スイッチ１５をオフする。スイッチ１５をオフした場合、交流電源ＡＣＳの正の半周期では正周期微弱電流Ｉｓｐが寄生容量Ｃｓを充電する形態で発光ダイオードＬＥＤ１に流れ、負の半周期では負周期微弱電流Ｉｓｍが寄生容量Ｃｓを逆方向に充電する形態で発光ダイオードＬＥＤ２に流れる。したがって、発光ダイオードＬＥＤは、交流電源ＡＣＳの正負状態に関係なく、常に微弱電流Ｉｓが流れる状態となり微弱発光を防止することはできない。
【０１０８】
つまり、交流電源ＡＣＳの正の半周期では、非接地側端子１１ｔ→非接地側配線１１（電源接続端子２０ｐ）→整流ダイオード２２→プラス側の配線経路３４→平滑コンデンサＣｒ→マイナス側の配線経路３５（電流を阻止するバイポーラトランジスタ３１が存在しないことから、動作電流Ｉｄと逆方向の正周期微弱電流Ｉｓｐが流れることが可能となる。）→スイッチング素子Ｑ２→コイルＬ→出力プラス端子３４ｔ→モジュールプラス端子４０ｐ→発光ダイオードＬＥＤ１→寄生容量Ｃｓ→アース電位ＧＮＤ（照明器具本体１ｂのアース電位ＧＮＤおよび交流電源ＡＣＳのアース電位ＧＮＤ）の経路で正周期微弱電流Ｉｓｐが流れる。
【０１０９】
また、交流電源ＡＣＳの負の半周期では、接地側端子１２ｔ→接地側配線１２→アース電位ＧＮＤ（交流電源ＡＣＳのアース電位ＧＮＤおよび照明器具本体１ｂのアース電位ＧＮＤ）→寄生容量Ｃｓ→発光ダイオードＬＥＤ２→モジュールマイナス端子４０ｍ→出力マイナス端子３５ｔ→マイナス側の配線経路３５→整流ダイオード２１→電源接続端子２０ｐ（非接地側配線１１）→非接地側端子１１ｔの経路で負周期微弱電流Ｉｓｍが流れる。
【０１１０】
したがって、バイポーラトランジスタ３１が存在しないマイナス側の配線経路３５では、交流電源ＡＣＳの正負の半周期にそれぞれ対応する両方向で微弱電流Ｉｓ（発光ダイオードＬＥＤ１を流れる正周期微弱電流Ｉｓｐおよび発光ダイオードＬＥＤ２を流れる負周期微弱電流Ｉｓｍ）が流れることとなる。すなわち、上述したとおり、バイポーラトランジスタ３１が存在しない場合、交流電源ＡＣＳの正負状態に関係なく、発光ダイオードＬＥＤには常に微弱電流Ｉｓが流れる状態となり微弱発光を防止することはできない状態となる。
【０１１１】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、スイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる配線経路（本実施例ではマイナス側の配線経路３５）に、スイッチ１５をオンして発光ダイオードＬＥＤを点灯したときに配線経路（本実施例ではマイナス側の配線経路３５）で流れる動作電流Ｉｄの電流方向に電流を流す構成とされたｐｎ接合素子（本実施例ではバイポーラトランジスタ３１）を備える。
【０１１２】
この構成により、実施例１の場合と同様の作用効果を得ることが可能となる。また、本実施例では、ｐｎ接合素子は、バイポーラトランジスタ３１であることを特徴とする。したがって、本発明を適用しないときに双方向の微弱電流Ｉｓ（交流電源ＡＣＳの正の半周期で生じる正周期微弱電流Ｉｓｐ、負の半周期で生じる負周期微弱電流Ｉｓｍ）が流れる配線経路３５を遮断し、消灯時に寄生容量Ｃｓに流れる微弱電流Ｉｓを確実に遮断して微弱発光を確実に防止することが可能となる。
【０１１３】
また、照明装置１についても、実施例１の場合と同様の構成としてあり、同様の作用効果を得ることが可能となる。
【０１１４】
図５は、本発明の実施の形態１に係る発光ダイオード点灯回路および照明装置の概略構成回路の実施例４を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【０１１５】
なお、本実施例での照明装置１、発光ダイオード点灯回路１０の基本構成は、実施例１の場合と同様であるので主に異なる事項について説明する。また、整流回路２０は、実施例１の場合と同様であるので適宜説明を省略する。発光ダイオードモジュール４０は実施例１（図２）の場合と同様であるので適宜説明を省略する。
【０１１６】
本実施例に係る直流供給回路３０は、「フライバック方式（コンデンサを変圧器の１次巻線と２次巻線の間に接続した形態）」とした場合であり、変圧器Ｔの１次巻線、スイッチング素子Ｑ３（スイッチングトランジスタＱ３）の直列回路がプラス側の配線経路３４とマイナス側の配線経路３５との間に接続してある。また、変圧器Ｔの１次巻線と２次巻線との間に電磁ノイズを抑制するノイズキャンセラとしてのコンデンサＣｃが接続してある。
【０１１７】
変圧器Ｔの２次側には整流回路／平滑回路を構成するダイオードＤ１、平滑コンデンサＣｄが接続され、プラス側の配線経路３４は出力プラス端子３４ｔに接続され、マイナス側の配線経路３５は出力マイナス端子３５ｔに接続してある。
【０１１８】
プラス側の配線経路３４には、ｐｎ接合素子としてのバイポーラトランジスタ３１が直列で順方向（動作電流Ｉｄの電流方向に電流を流す配置）に接続してあり、平滑コンデンサＣｒが充電され所定の直流波形が直流供給回路３０に供給されるとバイポーラトランジスタ３１は、オン動作し、整流回路２０から直流供給回路３０を介して発光ダイオードモジュール４０に直流電力が供給されることとなる。
【０１１９】
発光ダイオードＬＥＤを点灯する場合（図５（Ａ））は、スイッチ１５をオンする。スイッチ１５をオンした場合、交流電源ＡＣＳの正の半周期では動作電流Ｉｄが発光ダイオードＬＥＤを流れ、負の半周期では動作電流Ｉｄが同様に同方向で流れる。したがって、発光ダイオードＬＥＤは、交流電源ＡＣＳの正負状態に関係なく、常に直流を供給された状態で安定した点灯状態となる。
【０１２０】
つまり、交流電源ＡＣＳの正の半周期では、変圧器Ｔの１次巻線側で、非接地側端子１１ｔ→非接地側配線１１（電源接続端子２０ｐ）→整流ダイオード２２→バイポーラトランジスタ３１（プラス側の配線経路３４）→変圧器Ｔ（１次巻線）→スイッチング素子Ｑ３→マイナス側の配線経路３５→整流ダイオード２４→電源接続端子２０ｇ→スイッチ１５→接地側配線１２→接地側端子１２ｔの経路で動作電流Ｉｄが流れ、他方、変圧器Ｔの２次巻線側で１次巻線での動作電流Ｉｄに対応して、変圧器Ｔ（２次巻線）→ダイオードＤ１（プラス側の配線経路３４）→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→マイナス側の配線経路３５→変圧器Ｔ（２次巻線）の経路で動作電流Ｉｄが流れる。
【０１２１】
また、交流電源ＡＣＳの負の半周期では、変圧器Ｔの１次巻線側で、接地側端子１２ｔ→接地側配線１２→スイッチ１５→電源接続端子２０ｇ→整流ダイオード２３→バイポーラトランジスタ３１（プラス側の配線経路３４）→変圧器Ｔ（１次巻線）→スイッチング素子Ｑ３→マイナス側の配線経路３５→整流ダイオード２１→電源接続端子２０ｐ→非接地側配線１１→非接地側端子１１ｔの経路で動作電流Ｉｄが流れる。なお、変圧器Ｔの２次巻線側では、上述した交流電源ＡＣＳの正の半周期で説明した経路と同様の経路で動作電流Ｉｄが流れる。
【０１２２】
発光ダイオードＬＥＤを消灯する場合（図５（Ｂ））は、スイッチ１５をオフする。スイッチ１５をオフした場合、バイポーラトランジスタ３１はオフ状態となる。つまり、交流電源ＡＣＳの正の半周期での正周期微弱電流Ｉｓｐ（図５（Ｃ）参照）、交流電源ＡＣＳの負の半周期での負周期微弱電流Ｉｓｍ（図５（Ｃ）参照）が流れることはない。
【０１２３】
したがって、ｐｎ接合素子としてのバイポーラトランジスタ３１をプラス側の配線経路３４に配置することによって、寄生電流としての微弱電流Ｉｓが流れることを防止することが可能となり、微弱電流Ｉｓによる発光ダイオードＬＥＤの微弱発光を防止することが可能となるので、発光ダイオードＬＥＤを完全な消灯状態とすることが可能となる。
【０１２４】
次に本実施の形態での効果を比較説明するためにｐｎ接合素子（バイポーラトランジスタ３１）を省いた状態でスイッチをオフして発光ダイオードを消灯した場合の電流状況を説明する（図５（Ｃ））。なお、図５（Ｃ）の回路状態図では、バイポーラトランジスタ３１およびバイアス抵抗Ｒを省いた点が図５（Ａ）、（Ｂ）の回路状態図と異なるのみであるので、同一の符号を用いて説明する。
【０１２５】
図５（Ｂ）の場合と同様、発光ダイオードＬＥＤを消灯する場合は、スイッチ１５をオフする。スイッチ１５をオフした場合、交流電源ＡＣＳの正の半周期では正周期微弱電流Ｉｓｐが寄生容量Ｃｓを充電する形態で発光ダイオードＬＥＤ１に流れ、負の半周期では負周期微弱電流Ｉｓｍが寄生容量Ｃｓを逆方向に充電する形態で発光ダイオードＬＥＤ２に流れる。したがって、発光ダイオードＬＥＤは、交流電源ＡＣＳの正負状態に関係なく、常に微弱電流Ｉｓが流れる状態となり微弱発光を防止することはできない。
【０１２６】
つまり、交流電源ＡＣＳの正の半周期では、非接地側端子１１ｔ→非接地側配線１１（電源接続端子２０ｐ）→整流ダイオード２２→プラス側の配線経路３４→コンデンサＣｃ→ダイオードＤ１→出力プラス端子３４ｔ→モジュールプラス端子４０ｐ→発光ダイオードＬＥＤ１→寄生容量Ｃｓ→アース電位ＧＮＤ（照明器具本体１ｂのアース電位ＧＮＤおよび交流電源ＡＣＳのアース電位ＧＮＤ）の経路で正周期微弱電流Ｉｓｐが流れる。
【０１２７】
また、交流電源ＡＣＳの負の半周期では、接地側端子１２ｔ→接地側配線１２→アース電位ＧＮＤ（交流電源ＡＣＳのアース電位ＧＮＤおよび照明器具本体１ｂのアース電位ＧＮＤ）→寄生容量Ｃｓ→発光ダイオードＬＥＤ２→モジュールマイナス端子４０ｍ→出力マイナス端子３５ｔ→変圧器Ｔ（２次巻線）→コンデンサＣｃ→プラス側の配線経路３４（電流を阻止するバイポーラトランジスタ３１が存在しないことから、動作電流Ｉｄと逆方向の負周期微弱電流Ｉｓｍが流れることが可能となる。）→平滑コンデンサＣｒ→マイナス側の配線経路３５→整流ダイオード２１→電源接続端子２０ｐ（非接地側配線１１）→非接地側端子１１ｔの経路で負周期微弱電流Ｉｓｍが流れる。
【０１２８】
したがって、バイポーラトランジスタ３１が存在しないプラス側の配線経路３４では、交流電源ＡＣＳの正負の半周期にそれぞれ対応する両方向で微弱電流Ｉｓ（発光ダイオードＬＥＤ１を流れる正周期微弱電流Ｉｓｐおよび発光ダイオードＬＥＤ２を流れる負周期微弱電流Ｉｓｍ）が流れることとなる。すなわち、上述したとおり、バイポーラトランジスタ３１が存在しない場合、交流電源ＡＣＳの正負状態に関係なく、発光ダイオードＬＥＤには常に微弱電流Ｉｓが流れる状態となり微弱発光を防止することはできない状態となる。
【０１２９】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、スイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる配線経路（本実施例ではプラス側の配線経路３４）に、スイッチ１５をオンして発光ダイオードＬＥＤを点灯したときに配線経路（本実施例ではプラス側の配線経路３４）で流れる動作電流Ｉｄの電流方向に電流を流す構成とされたｐｎ接合素子（本実施例ではバイポーラトランジスタ３１）を備える。
【０１３０】
この構成により、実施例１の場合と同様の作用効果を得ることが可能となる。また、本実施例では、ｐｎ接合素子は、バイポーラトランジスタ３１であることを特徴とする。したがって、本発明を適用しないときに双方向の微弱電流Ｉｓ（交流電源ＡＣＳの正の半周期で生じる正周期微弱電流Ｉｓｐ、負の半周期で生じる負周期微弱電流Ｉｓｍ）が流れる配線経路３４を遮断し、消灯時に寄生容量Ｃｓに流れる微弱電流Ｉｓを確実に遮断して微弱発光を確実に防止することが可能となる。
【０１３１】
また、照明装置１についても、実施例１の場合と同様の構成としてあり、同様の作用効果を得ることが可能となる。
【０１３２】
図６は、本発明の実施の形態１に係る発光ダイオード点灯回路および照明装置の概略構成回路の実施例５を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【０１３３】
なお、本実施例での照明装置１、発光ダイオード点灯回路１０の基本構成は、実施例１の場合と同様であるので主に異なる事項について説明する。また、整流回路２０は、実施例１の場合と同様であるので適宜説明を省略する。発光ダイオードモジュール４０は実施例１（図２）の場合と同様であるので適宜説明を省略する。
【０１３４】
本実施例に係る直流供給回路３０は、「フライバック方式（コンデンサを変圧器１次側のグランド側配線と変圧器２次側のグランド側配線の間に接続した形態）」とした場合であり、変圧器Ｔの１次巻線、スイッチング素子Ｑ４の直列回路がプラス側の配線経路３４とマイナス側の配線経路３５との間に接続してある。また、変圧器Ｔの１次側のグランド側配線（マイナス側の配線経路３５）と変圧器Ｔの２次側のグランド側配線（マイナス側の配線経路３５）との間にコンデンサＣｂが接続してある。
【０１３５】
変圧器Ｔの２次側は、実施例４と同様に整流回路／平滑回路を構成するダイオードＤ１、平滑コンデンサＣｄが接続され、プラス側の配線経路３４は出力プラス端子３４ｔに接続され、マイナス側の配線経路３５は出力マイナス端子３５ｔに接続してある。
【０１３６】
マイナス側の配線経路３５には、ｐｎ接合素子としてのバイポーラトランジスタ３１が直列で順方向（動作電流Ｉｄの電流方向に電流を流す配置）に接続してあり、平滑コンデンサＣｒが充電され所定の直流波形が直流供給回路３０に供給されるとバイポーラトランジスタ３１は、オン動作し、整流回路２０から直流供給回路３０を介して発光ダイオードモジュール４０に直流電力が供給されることとなる。
【０１３７】
発光ダイオードＬＥＤを点灯する場合（図６（Ａ））は、スイッチ１５をオンする。スイッチ１５をオンした場合、交流電源ＡＣＳの正の半周期では動作電流Ｉｄが発光ダイオードＬＥＤを流れ、負の半周期では動作電流Ｉｄが同様に同方向で流れる。したがって、発光ダイオードＬＥＤは、交流電源ＡＣＳの正負状態に関係なく、常に直流を供給された状態で安定した点灯状態となる。
【０１３８】
つまり、交流電源ＡＣＳの正の半周期では、変圧器Ｔの１次巻線側で、非接地側端子１１ｔ→非接地側配線１１（電源接続端子２０ｐ）→整流ダイオード２２→プラス側の配線経路３４→変圧器Ｔ（１次巻線）→スイッチング素子Ｑ４→バイポーラトランジスタ３１（マイナス側の配線経路３５）→マイナス側の配線経路３５→整流ダイオード２４→電源接続端子２０ｇ→スイッチ１５→接地側配線１２→接地側端子１２ｔの経路で動作電流Ｉｄが流れ、他方、変圧器Ｔの２次巻線側で実施例４と同様に１次巻線での動作電流Ｉｄに対応して、変圧器Ｔ（２次巻線）→ダイオードＤ１（プラス側の配線経路３４）→出力プラス端子３４ｔ→モジュールプラス端子４０ｐ→発光ダイオードＬＥＤ１→発光ダイオードＬＥＤ２→モジュールマイナス端子４０ｍ→出力マイナス端子３５ｔ→マイナス側の配線経路３５→変圧器Ｔ（２次巻線）の経路で動作電流Ｉｄが流れる。
【０１３９】
また、交流電源ＡＣＳの負の半周期では、変圧器Ｔの１次巻線側で、接地側端子１２ｔ→接地側配線１２→スイッチ１５→電源接続端子２０ｇ→整流ダイオード２３→プラス側の配線経路３４→変圧器Ｔ（１次巻線）→スイッチング素子Ｑ４→バイポーラトランジスタ３１（マイナス側の配線経路３５）→マイナス側の配線経路３５→整流ダイオード２１→電源接続端子２０ｐ→非接地側配線１１→非接地側端子１１ｔの経路で動作電流Ｉｄが流れる。なお、変圧器Ｔの２次巻線側では、上述した交流電源ＡＣＳの正の半周期で説明した経路と同様の経路で動作電流Ｉｄが流れる。
【０１４０】
発光ダイオードＬＥＤを消灯する場合（図６（Ｂ））は、スイッチ１５をオフする。スイッチ１５をオフした場合、バイポーラトランジスタ３１はオフ状態となる。つまり、交流電源ＡＣＳの正の半周期での正周期微弱電流Ｉｓｐ（図６（Ｃ）参照）、交流電源ＡＣＳの負の半周期での負周期微弱電流Ｉｓｍ（図６（Ｃ）参照）が流れることはない。
【０１４１】
したがって、ｐｎ接合素子としてのバイポーラトランジスタ３１をマイナス側の配線経路３５に配置することによって、寄生電流としての微弱電流Ｉｓが流れることを防止することが可能となり、微弱電流Ｉｓによる発光ダイオードＬＥＤの微弱発光を防止することが可能となるので、発光ダイオードＬＥＤを完全な消灯状態とすることが可能となる。
【０１４２】
次に本実施の形態での効果を比較説明するためにｐｎ接合素子（バイポーラトランジスタ３１）を省いた状態でスイッチをオフして発光ダイオードを消灯した場合の電流状況を説明する（図６（Ｃ））。なお、図６（Ｃ）の回路状態図では、バイポーラトランジスタ３１およびバイアス抵抗Ｒを省いた点が図６（Ａ）、（Ｂ）の回路状態図と異なるのみであるので、同一の符号を用いて説明する。
【０１４３】
図６（Ｂ）の場合と同様、発光ダイオードＬＥＤを消灯する場合は、スイッチ１５をオフする。スイッチ１５をオフした場合、交流電源ＡＣＳの正の半周期では正周期微弱電流Ｉｓｐが寄生容量Ｃｓを充電する形態で発光ダイオードＬＥＤ１に流れ、負の半周期では負周期微弱電流Ｉｓｍが寄生容量Ｃｓを逆方向に充電する形態で発光ダイオードＬＥＤ２に流れる。したがって、発光ダイオードＬＥＤは、交流電源ＡＣＳの正負状態に関係なく、常に微弱電流Ｉｓが流れる状態となり微弱発光を防止することはできない。
【０１４４】
つまり、交流電源ＡＣＳの正の半周期では、非接地側端子１１ｔ→非接地側配線１１（電源接続端子２０ｐ）→整流ダイオード２２→プラス側の配線経路３４→平滑コンデンサＣｒ→マイナス側の配線経路３５（電流を阻止するバイポーラトランジスタ３１が存在しないことから、動作電流Ｉｄと逆方向の負周期微弱電流Ｉｓｍが流れることが可能となる。）→コンデンサＣｂ→変圧器Ｔ（２次巻線）→ダイオードＤ１→出力プラス端子３４ｔ→モジュールプラス端子４０ｐ→発光ダイオードＬＥＤ１→寄生容量Ｃｓ→アース電位ＧＮＤ（照明器具本体１ｂのアース電位ＧＮＤおよび交流電源ＡＣＳのアース電位ＧＮＤ）の経路で正周期微弱電流Ｉｓｐが流れる。
【０１４５】
また、交流電源ＡＣＳの負の半周期では、接地側端子１２ｔ→接地側配線１２→アース電位ＧＮＤ（交流電源ＡＣＳのアース電位ＧＮＤおよび照明器具本体１ｂのアース電位ＧＮＤ）→寄生容量Ｃｓ→発光ダイオードＬＥＤ２→モジュールマイナス端子４０ｍ→出力マイナス端子３５ｔ→マイナス側の配線経路３５→コンデンサＣｂ→マイナス側の配線経路３５→整流ダイオード２１→電源接続端子２０ｐ（非接地側配線１１）→非接地側端子１１ｔの経路で負周期微弱電流Ｉｓｍが流れる。
【０１４６】
したがって、バイポーラトランジスタ３１が存在しないマイナス側の配線経路３５では、交流電源ＡＣＳの正負の半周期にそれぞれ対応する両方向で微弱電流Ｉｓ（発光ダイオードＬＥＤ１を流れる正周期微弱電流Ｉｓｐおよび発光ダイオードＬＥＤ２を流れる負周期微弱電流Ｉｓｍ）が流れることとなる。すなわち、上述したとおり、バイポーラトランジスタ３１が存在しない場合、交流電源ＡＣＳの正負状態に関係なく、発光ダイオードＬＥＤには常に微弱電流Ｉｓが流れる状態となり微弱発光を防止することはできない状態となる。
【０１４７】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、スイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる配線経路（本実施例ではマイナス側の配線経路３５）に、スイッチ１５をオンして発光ダイオードＬＥＤを点灯したときに配線経路（本実施例ではマイナス側の配線経路３５）で流れる動作電流Ｉｄの電流方向に電流を流す構成とされたｐｎ接合素子（本実施例ではバイポーラトランジスタ３１）を備える。
【０１４８】
この構成により、実施例１の場合と同様の作用効果を得ることが可能となる。また、本実施例では、ｐｎ接合素子は、バイポーラトランジスタ３１であることを特徴とする。したがって、本発明を適用しないときに双方向の微弱電流Ｉｓ（交流電源ＡＣＳの正の半周期で生じる正周期微弱電流Ｉｓｐ、負の半周期で生じる負周期微弱電流Ｉｓｍ）が流れる配線経路３５を遮断し、消灯時に寄生容量Ｃｓに流れる微弱電流Ｉｓを確実に遮断して微弱発光を確実に防止することが可能となる。
【０１４９】
また、照明装置１についても、実施例１の場合と同様の構成としてあり、同様の作用効果を得ることが可能となる。
【０１５０】
本実施の形態に係る条件を満たせば、上述した実施例１ないし実施例５以外のその他の回路構成であっても、同様に適用可能である。例えば、直流供給回路３０としてのフライバック方式に代えてフォワード方式とすることも可能であり、整流回路としてブリッジ型全波整流方式に代えて倍電圧整流回路を適用することも可能である。また、コンデンサＣｃ（実施例４／図５）の接続箇所も種々変更可能である。
【０１５１】
また、実施例１ないし実施例５で示したとおり、本実施の形態に係る照明装置１は、複数の発光ダイオードＬＥＤが直列接続された発光ダイオードモジュール４０と、非接地側配線１１および接地側配線１２を有する交流電源ＡＣＳから供給された交流を直流に変換して発光ダイオードＬＥＤを点灯する発光ダイオード点灯回路１０とを備え、接地側配線１２（交流電源ＡＣＳ）と発光ダイオード点灯回路１０との間に配置されたスイッチ１５のオン／オフによって発光ダイオードＬＥＤの点灯／消灯を制御する構成としてある。
【０１５２】
したがって、本実施の形態に係る照明装置１では、発光ダイオード点灯回路１０を備えることから、スイッチ１５をオフした状態のときに発光ダイオードＬＥＤを流れる消灯時の微弱電流Ｉｓ（交流電源の正の半周期で生じる正周期微弱電流Ｉｓｐ、負の半周期で生じる負周期微弱電流Ｉｓｍ）の発生を防止することが可能となるので、スイッチ１５をオフして発光ダイオードＬＥＤを消灯したときに発光ダイオードＬＥＤでの消灯時の微弱発光を防止することができ、信頼性、機能性、および視認性の高い照明装置を実現することが可能となる。
【０１５３】
上述したとおり、本実施の形態に係る発光ダイオード点灯回路１０では、発光ダイオードＬＥＤを駆動する動作電流Ｉｄの供給／遮断を制御する動作電流制御部（スイッチ１５）によって発光ダイオードＬＥＤの点灯／消灯を制御する構成としてある。つまり、スイッチ１５のオン／オフによって発光ダイオードＬＥＤの点灯／消灯を制御する。
【０１５４】
また、動作電流制御部によって発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（配線経路３４／配線経路３５）に、動作電流制御部によって発光ダイオードＬＥＤを点灯したときに配線経路で流れる動作電流Ｉｄの電流方向に電流を流す構成とされたｐｎ接合素子（バイポーラトランジスタ３１）を備える。したがって、動作電流制御部としてのスイッチ１５をオフして発光ダイオードＬＥＤを消灯したときに発光ダイオードＬＥＤでの消灯時の微弱発光を防止することができる。
【０１５５】
＜実施の形態２＞
図７ないし図１１に基づいて、本実施の形態に係る発光ダイオード点灯回路および照明装置について説明する。なお、図７は実施例６に、図８は実施例７に、図９は実施例８に、図１０は実施例９に、図１１は実施例１０に係る。
【０１５６】
実施の形態１では、ｐｎ接合素子としてバイポーラトランジスタ３１（およびバイアス抵抗Ｒ）を適用したのに対して、本実施の形態に係る発光ダイオード点灯回路および照明装置では、ｐｎ接合素子としてダイオードを適用する構成としてある。その他の構成は、実施の形態１と同様であるので主に異なる事項について説明する。
【０１５７】
図７は、本発明の実施の形態２に係る発光ダイオード点灯回路および照明装置の概略構成回路の実施例６を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【０１５８】
本実施例は、実施例１に対応するものであり、実施例１で適用したバイポーラトランジスタ３１（およびバイアス抵抗Ｒ）をダイオード３２で置き換えたものである。照明装置１、発光ダイオード点灯回路１０（整流回路２０、直流供給回路３０）、発光ダイオードモジュール４０の基本的な構成、作用は実施例１と同様である。
【０１５９】
図７（Ｃ）で示すとおり、ダイオード３２が存在しない場合にスイッチ１５をオフして発光ダイオードＬＥＤを消灯したとき、寄生容量Ｃｓを介して寄生電流としての微弱電流Ｉｓ（正周期微弱電流Ｉｓｐ、負周期微弱電流Ｉｓｍ）が流れ、消灯時に微弱発光を生じることがある。
【０１６０】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、ダイオード３２が存在しない状態でスイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（本実施例ではプラス側の配線経路３４）に、スイッチ１５をオンして発光ダイオードＬＥＤを点灯したときに配線経路（本実施例ではプラス側の配線経路３４）で流れる動作電流Ｉｄの電流方向に電流を流す構成とされたｐｎ接合素子（本実施例ではダイオード３２）を備える。
【０１６１】
この構成により、実施例１と同様な作用効果が得られる。また、本実施例では、ｐｎ接合素子は、ダイオード３２であることを特徴とする。したがって、本発明を適用しないときに双方向の微弱電流Ｉｓが流れる配線経路３４では、接続されたダイオード３２が一方向の微弱電流Ｉｓしか流さないので、寄生容量Ｃｓが充電された後は、寄生容量Ｃｓに微弱電流Ｉｓは流れず消灯時の微弱発光を確実に防止することが可能となる。
【０１６２】
つまり、図７（Ｂ）に示すとおり、交流電源ＡＣＳの正の半周期での正周期微弱電流Ｉｓｐがダイオード３２を介して寄生容量Ｃｓに過渡的に流れるが、寄生容量Ｃｓへの充電が終了した時点で正周期微弱電流Ｉｓｐは流れなくなる。
【０１６３】
図８は、本発明の実施の形態２に係る発光ダイオード点灯回路および照明装置の概略構成回路の実施例７を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【０１６４】
本実施例は、実施例２に対応するものであり、実施例２で適用したバイポーラトランジスタ３１（およびバイアス抵抗Ｒ）をダイオード３２で置き換えたものである。照明装置１、発光ダイオード点灯回路１０（整流回路２０、直流供給回路３０）、発光ダイオードモジュール４０の基本的な構成、作用は実施例２と同様である。
【０１６５】
図８（Ｃ）で示すとおり、ダイオード３２が存在しない場合にスイッチ１５をオフして発光ダイオードＬＥＤを消灯したとき、寄生容量Ｃｓを介して寄生電流としての微弱電流Ｉｓ（正周期微弱電流Ｉｓｐ、負周期微弱電流Ｉｓｍ）が流れ、消灯時に微弱発光を生じることがある。
【０１６６】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、ダイオード３２が存在しない状態でスイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（本実施例ではマイナス側の配線経路３５）に、スイッチ１５をオンして発光ダイオードＬＥＤを点灯したときに配線経路（本実施例ではマイナス側の配線経路３５）で流れる動作電流Ｉｄの電流方向に電流を流す構成とされたｐｎ接合素子（本実施例ではダイオード３２）を備える。
【０１６７】
この構成により、実施例２と同様な作用効果が得られる。また、本実施例では、ｐｎ接合素子は、ダイオード３２であることを特徴とする。したがって、本発明を適用しないときに双方向の微弱電流Ｉｓが流れる配線経路３５では、接続されたダイオード３２が一方向の微弱電流Ｉｓしか流さないので、寄生容量Ｃｓが充電された後は、寄生容量Ｃｓに微弱電流Ｉｓは流れず消灯時の微弱発光を確実に防止することが可能となる。
【０１６８】
つまり、図８（Ｂ）に示すとおり、交流電源ＡＣＳの負の半周期での負周期微弱電流Ｉｓｍがダイオード３２を介して寄生容量Ｃｓに過渡的に流れるが、寄生容量Ｃｓへの充電が終了した時点で負周期微弱電流Ｉｓｍは流れなくなる。
【０１６９】
図９は、本発明の実施の形態２に係る発光ダイオード点灯回路および照明装置の概略構成回路の実施例８を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【０１７０】
本実施例は、実施例３に対応するものであり、実施例３で適用したバイポーラトランジスタ３１（およびバイアス抵抗Ｒ）をダイオード３２で置き換えたものである。照明装置１、発光ダイオード点灯回路１０（整流回路２０、直流供給回路３０）、発光ダイオードモジュール４０の基本的な構成、作用は実施例３と同様である。
【０１７１】
図９（Ｃ）で示すとおり、ダイオード３２が存在しない場合にスイッチ１５をオフして発光ダイオードＬＥＤを消灯したとき、寄生容量Ｃｓを介して寄生電流としての微弱電流Ｉｓ（正周期微弱電流Ｉｓｐ、負周期微弱電流Ｉｓｍ）が流れ、消灯時に微弱発光を生じることがある。
【０１７２】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、ダイオード３２が存在しない状態でスイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（本実施例ではマイナス側の配線経路３５）に、スイッチ１５をオンして発光ダイオードＬＥＤを点灯したときに配線経路（本実施例ではマイナス側の配線経路３５）で流れる動作電流Ｉｄの電流方向に電流を流す構成とされたｐｎ接合素子（本実施例ではダイオード３２）を備える。
【０１７３】
この構成により、実施例３と同様な作用効果が得られる。また、本実施例では、ｐｎ接合素子は、ダイオード３２であることを特徴とする。したがって、本発明を適用しないときに双方向の微弱電流Ｉｓが流れる配線経路３５では、接続されたダイオード３２が一方向の微弱電流Ｉｓしか流さないので、寄生容量Ｃｓが充電された後は、寄生容量Ｃｓに微弱電流Ｉｓは流れず消灯時の微弱発光を確実に防止することが可能となる。
【０１７４】
つまり、図９（Ｂ）に示すとおり、交流電源ＡＣＳの負の半周期での負周期微弱電流Ｉｓｍがダイオード３２を介して寄生容量Ｃｓに過渡的に流れるが、寄生容量Ｃｓへの充電が終了した時点で負周期微弱電流Ｉｓｍは流れなくなる。
【０１７５】
図１０は、本発明の実施の形態２に係る発光ダイオード点灯回路および照明装置の概略構成回路の実施例９を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【０１７６】
本実施例は、実施例４に対応するものであり、実施例４で適用したバイポーラトランジスタ３１（およびバイアス抵抗Ｒ）をダイオード３２で置き換えたものである。照明装置１、発光ダイオード点灯回路１０（整流回路２０、直流供給回路３０）、発光ダイオードモジュール４０の基本的な構成、作用は実施例４と同様である。
【０１７７】
図１０（Ｃ）で示すとおり、ダイオード３２が存在しない場合にスイッチ１５をオフして発光ダイオードＬＥＤを消灯したとき、寄生容量Ｃｓを介して寄生電流としての微弱電流Ｉｓ（正周期微弱電流Ｉｓｐ、負周期微弱電流Ｉｓｍ）が流れ、消灯時に微弱発光を生じることがある。
【０１７８】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、ダイオード３２が存在しない状態でスイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（本実施例ではプラス側の配線経路３４）に、スイッチ１５をオンして発光ダイオードＬＥＤを点灯したときに配線経路（本実施例ではプラス側の配線経路３４）で流れる動作電流Ｉｄの電流方向に電流を流す構成とされたｐｎ接合素子（本実施例ではダイオード３２）を備える。
【０１７９】
この構成により、実施例４と同様な作用効果が得られる。また、本実施例では、ｐｎ接合素子は、ダイオード３２であることを特徴とする。したがって、本発明を適用しないときに双方向の微弱電流Ｉｓが流れる配線経路３４では、接続されたダイオード３２が一方向の微弱電流Ｉｓしか流さないので、寄生容量Ｃｓが充電された後は、寄生容量Ｃｓに微弱電流Ｉｓは流れず消灯時の微弱発光を確実に防止することが可能となる。
【０１８０】
つまり、図１０（Ｂ）に示すとおり、交流電源ＡＣＳの正の半周期での正周期微弱電流Ｉｓｐがダイオード３２を介して寄生容量Ｃｓに過渡的に流れるが、寄生容量Ｃｓへの充電が終了した時点で正周期微弱電流Ｉｓｐは流れなくなる。
【０１８１】
図１１は、本発明の実施の形態２に係る発光ダイオード点灯回路および照明装置の概略構成回路の実施例１０を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【０１８２】
本実施例は、実施例５に対応するものであり、実施例５で適用したバイポーラトランジスタ３１（およびバイアス抵抗Ｒ）をダイオード３２で置き換えたものである。照明装置１、発光ダイオード点灯回路１０（整流回路２０、直流供給回路３０）、発光ダイオードモジュール４０の基本的な構成、作用は実施例５と同様である。
【０１８３】
図１１（Ｃ）で示すとおり、ダイオード３２が存在しない場合にスイッチ１５をオフして発光ダイオードＬＥＤを消灯したとき、寄生容量Ｃｓを介して寄生電流としての微弱電流Ｉｓ（正周期微弱電流Ｉｓｐ、負周期微弱電流Ｉｓｍ）が流れ、消灯時に微弱発光を生じることがある。
【０１８４】
つまり、本実施例に係る発光ダイオード点灯回路１０では、接地側配線１２（交流電源ＡＣＳ）と発光ダイオード点灯回路１０との間に配置されたスイッチ１５のオン／オフによって発光ダイオードＬＥＤの点灯／消灯を制御する場合、ダイオード３２が存在しない状態でスイッチ１５をオフして発光ダイオードＬＥＤを消灯したときに交流電源ＡＣＳの正の半周期で生じる正周期微弱電流Ｉｓｐと交流電源ＡＣＳの負の半周期で生じる負周期微弱電流Ｉｓｍとが互いに逆方向へ流れる直流供給回路３０の配線経路（本実施例ではマイナス側の配線経路３５）に、スイッチ１５をオンして発光ダイオードＬＥＤを点灯したときに配線経路（本実施例ではマイナス側の配線経路３５）で流れる動作電流Ｉｄの電流方向に電流を流す構成とされたｐｎ接合素子（本実施例ではダイオード３２）を備える。
【０１８５】
この構成により、実施例５と同様な作用効果が得られる。また、本実施例では、ｐｎ接合素子は、ダイオード３２であることを特徴とする。したがって、本発明を適用しないときに双方向の微弱電流Ｉｓが流れる配線経路３５では、接続されたダイオード３２が一方向の微弱電流Ｉｓしか流さないので、寄生容量Ｃｓが充電された後は、寄生容量Ｃｓに微弱電流Ｉｓは流れず消灯時の微弱発光を確実に防止することが可能となる。
【０１８６】
つまり、図１１（Ｂ）に示すとおり、交流電源ＡＣＳの負の半周期での負周期微弱電流Ｉｓｍがダイオード３２を介して寄生容量Ｃｓに過渡的に流れるが、寄生容量Ｃｓへの充電が終了した時点で負周期微弱電流Ｉｓｍは流れなくなる。
【０１８７】
本実施の形態に係る条件を満たせば、上述した実施例６ないし実施例１０以外のその他の回路構成であっても、同様に適用可能である。例えば、直流供給回路３０としてのフライバック方式に代えてフォワード方式とすることも可能であり、整流回路としてブリッジ型全波整流方式に代えて倍電圧整流回路を適用することも可能である。また、コンデンサＣｃ（実施例９／図１０）の接続箇所も種々変更可能である。
【０１８８】
また、実施例６ないし実施例１０で示したとおり、本実施の形態に係る照明装置１は、複数の発光ダイオードＬＥＤが直列接続された発光ダイオードモジュール４０と、非接地側配線１１および接地側配線１２を有する交流電源ＡＣＳから供給された交流を直流に変換して発光ダイオードＬＥＤを点灯する発光ダイオード点灯回路１０とを備え、接地側配線１２（交流電源ＡＣＳ）と発光ダイオード点灯回路１０との間に配置されたスイッチ１５のオン／オフによって発光ダイオードＬＥＤの点灯／消灯を制御する構成としてある。
【０１８９】
したがって、本実施の形態に係る照明装置１では、発光ダイオード点灯回路１０を備えることから、実施の形態１と同様な作用効果が得られる。
【０１９０】
上述したとおり、本実施の形態では、スイッチ１５は、実施の形態１の場合と同様、発光ダイオードＬＥＤを駆動する動作電流Ｉｄの供給／遮断を制御する動作電流制御部として機能し、実施の形態１と同様に作用する。
【０１９１】
＜実施の形態３＞
本実施の形態に係る発光ダイオード点灯回路および照明装置について説明する。基本的な構成は実施の形態１、実施の形態２と同様であるので、図示を省略し、符号をそのまま適用して主に異なる事項について説明する。
【０１９２】
実施の形態１、実施の形態２に係る発光ダイオード点灯回路１０、照明装置１では、動作電流制御部は、スイッチ１５によって構成してある。
【０１９３】
これに対し、本実施の形態に係る発光ダイオード点灯回路１０では、発光ダイオードＬＥＤを駆動する動作電流Ｉｄの供給／遮断を制御する動作電流制御部を直流供給回路３０に配置されオン／オフ制御によってＤＣ−ＤＣ変換を実行するスイッチング素子（実施の形態１、実施の形態２でのスイッチング素子Ｑ、またはスイッチング素子Ｑ１、Ｑ２、Ｑ３、Ｑ４）で構成し、スイッチング素子によるＤＣ−ＤＣ変換の実行／停止によって発光ダイオードＬＥＤの点灯／消灯を制御する構成としてある。
【０１９４】
照明装置１は、リモートコントローラ（不図示）で制御される場合がある。リモートコントローラで制御される場合は、スイッチ１５は通常オン状態とされており、発光ダイオードＬＥＤの消灯（動作電流Ｉｄの遮断）には適用されない。
【０１９５】
つまり、リモートコントローラによって発光ダイオードＬＥＤの消灯（動作電流Ｉｄの遮断）を実行する場合、動作電流制御部としてのスイッチング素子（Ｑ、またはＱ１、Ｑ２、Ｑ３、Ｑ４）によるＤＣ−ＤＣ変換を停止して発光ダイオードＬＥＤを消灯する。なお、スイッチング素子（Ｑ、またはＱ１、Ｑ２、Ｑ３、Ｑ４）によるＤＣ−ＤＣ変換を実行した場合は、所定の直流を生成することから発光ダイオードＬＥＤを点灯することとなる。
【０１９６】
したがって、本実施の形態によれば、例えばリモートコントローラによって発光ダイオードＬＥＤの消灯を実行する場合に、実施の形態１、実施の形態２と同様に、発光ダイオードＬＥＤでの消灯時の微弱発光を防止することができる。
【０１９７】
つまり、リモートコントローラで発光ダイオードＬＥＤの点灯／消灯を制御する場合は、直流供給回路３０に配置されＤＣ−ＤＣ変換を実行するスイッチング素子（実施の形態１、実施の形態２でのスイッチング素子Ｑ、またはＱ１、Ｑ２、Ｑ３、Ｑ４）を動作電流制御部として構成することにより、容易に発光ダイオードＬＥＤの点灯／消灯を制御することが可能となる。
【０１９８】
なお、リモートコントローラで発光ダイオードＬＥＤの点灯／消灯を制御する場合、回路構成は次のようにすることが多い。
【０１９９】
つまり、リモートコントローラの発光部、照明装置１（直流供給回路３０）に設けられリモートコントローラの発光部からの信号を受光する受光部、受光部が受信した信号に基づいて設定された周波数での発振を制御する発振制御回路、発振制御回路からの信号に基づいてスイッチング素子をパルス駆動するパルス駆動部、およびパルス駆動に従ってスイッチング動作（およびＤＣ−ＤＣ変換の実行／停止）を実行するスイッチング素子Ｑ（Ｑ１、Ｑ２、Ｑ３、Ｑ４）で、リモートコントローラによる点灯／消灯を制御することが可能となる。
【０２００】
なお、受光部は照明器具本体１ｂ側へ配置して発光部からの光信号を受光する形態とされる。
【０２０１】
また、ｐｎ接合素子は、実施の形態１ではバイポーラトランジスタ３１で構成し、実施の形態２ではダイオードで構成したが、これら以外の例えばサイリスタなどの半導体スイッチを適用することも可能である。
【図面の簡単な説明】
【０２０２】
【図１】本発明の実施の形態１に係る発光ダイオード点灯回路および照明装置の概略構成回路の実施例１を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図２】本発明の実施の形態１に係る発光ダイオード点灯回路および照明装置に適用される発光ダイオードモジュールの概略構成を示す説明図であり、（Ａ）は平面図、（Ｂ）は（Ａ）の矢符Ｂ−Ｂでの端面図である。
【図３】本発明の実施の形態１に係る発光ダイオード点灯回路および照明装置の概略構成回路の実施例２を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図４】本発明の実施の形態１に係る発光ダイオード点灯回路および照明装置の概略構成回路の実施例３を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図５】本発明の実施の形態１に係る発光ダイオード点灯回路および照明装置の概略構成回路の実施例４を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図６】本発明の実施の形態１に係る発光ダイオード点灯回路および照明装置の概略構成回路の実施例５を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図７】本発明の実施の形態２に係る発光ダイオード点灯回路および照明装置の概略構成回路の実施例６を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図８】本発明の実施の形態２に係る発光ダイオード点灯回路および照明装置の概略構成回路の実施例７を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図９】本発明の実施の形態２に係る発光ダイオード点灯回路および照明装置の概略構成回路の実施例８を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図１０】本発明の実施の形態２に係る発光ダイオード点灯回路および照明装置の概略構成回路の実施例９を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図１１】本発明の実施の形態２に係る発光ダイオード点灯回路および照明装置の概略構成回路の実施例１０を示す回路状態図であり、（Ａ）はスイッチをオンして発光ダイオードを点灯した場合の電流状況を示し、（Ｂ）はスイッチをオフして発光ダイオードを消灯した場合の電流状況を示し、（Ｃ）は比較のためにｐｎ接合素子を省いた状態でスイッチをオフして発光ダイオードを消灯した場合の電流状況を示す回路状態図である。
【図１２】従来例としての発光ダイオード点灯回路を適用して発光ダイオードモジュールを点灯する照明装置の概略構成ブロックを示すブロック図であり、（Ａ）はスイッチをオンして発光ダイオードを点灯した場合の電流状況を示し、（Ｂ）はスイッチをオフして発光ダイオードを消灯した場合の電流状況を示している。
【符号の説明】
【０２０３】
１  照明装置
１ｂ  照明器具本体
１０  発光ダイオード点灯回路
１１  非接地側配線
１２  接地側配線
１５  スイッチ（動作電流制御部）
１１ｔ  非接地側端子
１２ｔ  接地側端子
２０  整流回路
２０ｐ  電源接続端子
２０ｇ  電源接続端子
２１、２２、２３、２４  整流ダイオード
３０  直流供給回路
３１  バイポーラトランジスタ（ｐｎ接合素子）
３２  ダイオード（ｐｎ接合素子）
３４  プラス側の配線経路（配線経路）
３５  マイナス側の配線経路（配線経路）
３４ｔ  出力プラス端子
３５ｔ  出力マイナス端子
４０  発光ダイオードモジュール
４０ｐ  モジュールプラス端子
４０ｍ  モジュールマイナス端子
４１  プリント基板
４２  絶縁性基材
４３ｆ、４３ｓ、４３ｔ  配線パターン
ＡＣＳ  交流電源
Ｃ、Ｃｂ、Ｃｃ  コンデンサ
Ｃｄ、Ｃｒ  平滑コンデンサ
Ｃｆ、Ｃｓ、Ｃｔ  寄生容量
Ｄ、Ｄ１  ダイオード
ＧＮＤ  アース電位
Ｉｄ  動作電流
Ｉｓｐ  正周期微弱電流（微弱電流）
Ｉｓｍ  負周期微弱電流（微弱電流）
Ｌ  コイル
ＬＥＤ１  発光ダイオード（ＬＥＤ）
ＬＥＤ２  発光ダイオード（ＬＥＤ）
Ｑ、Ｑ１、Ｑ２、Ｑ３  スイッチング素子（動作電流制御部）
Ｒ  バイアス抵抗
Ｔ  変圧器
【図１】
0005090208.tif 000002
【図２】
0005090208.tif 000003
【図３】
0005090208.tif 000004
【図４】
0005090208.tif 000005
【図５】
0005090208.tif 000006
【図６】
0005090208.tif 000007
【図７】
0005090208.tif 000008
【図８】
0005090208.tif 000009
【図９】
0005090208.tif 000010
【図１０】
0005090208.tif 000011
【図１１】
0005090208.tif 000012
【図１２】
0005090208.tif 000013